(57)【要約】【課題】本発明は、吊下げフックに吊り下げる陳列と、台上に積み重ねた陳列の両方が可能であり、更に吊下げフックによる商品包装容器の破損を防止する構成を得ることを課題とする。【解決手段】内部に商品の収納空間３１が形成される商品包装容器１０が、対向する平面で形成された天板１１および底板１２と、周囲部分と、を有し、前記周囲部分の上端位置の前側と後側に吊下げフック通過孔４２が少なくとも前記天板の前側部位置まで延在して形成される。 【選択図】図８
2020193017.tif 000002
【特許請求の範囲】
【請求項１】
内部に商品の収納空間が形成される商品包装容器が、
対向する平面で形成された天板および底板と、
周囲部分と、を有し、
前記周囲部分の上端位置の前側と後側に吊下げフック通過孔が形成されることを特徴とする商品包装容器。
【請求項２】
前記商品包装容器の周囲部分の前側に形成された吊下げフック通過孔が少なくとも前記天板の前側端部位置まで延在して形成されることを特徴とする請求項１記載の商品包装容器。
【請求項３】
前記商品包装容器内には前記吊下げフックの上部と線状に当接する下面を有する補強部材が配置され、
前記補強部材の上面が前記天板の下面と当接するように配置されることを特徴とする請求項１または２記載の商品包装容器。
【請求項４】
前記商品包装容器の内部の前記収納空間よりも上部に吊下げフック通過空間が形成され、
前記商品包装容器の内部には、前記収納空間と、前記吊下げフック通過空間と、を分離する仕切り部材が配置され、
前記仕切り部材と前記補強部材が１枚の板状の補助部品の折り曲げによって形成されることを特徴とする請求項３記載の商品包装容器。
【請求項５】
前記板状の補助部品は、前記仕切り部材と前記補強部材を接続する少なくとも1つの接続部を有し、
前記接続部には吊下げフック通過孔が形成されることを特徴とする請求項４記載の商品包装容器。
【請求項６】
少なくとも1つの前記接続部が、前記仕切り部材と前記補強部材を前側位置で接続し、前記前側位置の接続部に形成された吊下げフック通過孔が少なくとも前記補強部材の前側端部位置まで延在して形成されることを特徴とする請求項５記載の商品包装容器。
【請求項７】
前記商品包装容器の上端の左右の位置に夫々フラップ部が形成され、
前記左右のフラップ部の上面が前記補強部材の下面と当接することによって、前記補教部材が前記商品包装容器内に保持されるように構成されることを特徴とする請求項２〜６の何れか１項記載の商品包装容器。
【発明の詳細な説明】
【技術分野】
【０００１】
本発明は店舗に陳列する際に、吊下げフックに吊り下げた陳列と、台上に積み重ねた陳列の両方が可能な商品包装容器に関する。
【背景技術】
【０００２】
特許文献１に開示されるように、図１４に示す様に、店舗に用意された什器の吊下げフック２０に吊下げて商品包装容器６０に入れられた商品を陳列するために、前記商品包装容器６０の上部から突出した吊下片７１に、吊下げ孔７２を形成した商品包装容器６０が公知であった。
【０００３】
しかしながら、前記特許文献１では、店舗に用意された台上に積み重ねて陳列する際には、商品包装容器６０の上部から突出した吊下片７１が邪魔になる欠点が有った。
【０００４】
また、他の従来技術として、特許文献２に開示される構造では、図１５に示す様に、内部に商品の収納空間が形成される商品包装容器８０が、対向する平面で形成された天板および底板と、周囲部分と、を有し、前記周囲部分の上方位置の前側と後側に、上縁部に吊下げフックと当接する吊下げ孔８２が形成され、吊り下げた陳列と、積み重ねた陳列の両方が可能な商品包装容器８０が公知であった。
【０００５】
前記特許文献２では、吊下げフックと当接する上縁部を有する補強用フック孔８３が形成された補強部材８４が前記商品包装容器８０と一体に形成されると共に、前記商品包装容器８０の内部の前記収納空間よりも上部に吊下げフック通過空間が形成され、前記商品包装容器の内部には、前記収納空間と、前記吊下げフック通過空間と、を分離する仕切り部材８５が配置され、前記商品包装容器８０と一体に形成された前記仕切り部材８５と前記補強部材８４が１枚の板状の部材の折り曲げによって形成されると共に、前記板状の補助部材は、前記仕切り部材８５と前記補強部材８４を接続する少なくとも1つの接続部材８６を有し、前記接続部材８６には吊下げフックと当接する上縁部を有する補強用フック孔８３が形成されている。
【０００６】
しかしながら、前記特許文献２では、吊下げフックに対して、吊下げ孔８２の上縁部および補強用フック孔８３の上縁部が当接することによって、商品包装容器８０が吊下げられるため、前記吊下げフックに対する商品包装容器８０の抜き差し時や、商品自体の自重によって、徐々に吊下げ孔８２の上縁部および補強用フック孔８３の上縁部が変形し、そのようなフック孔が劣化した状態で商品包装容器８０を下方向に引っ張られると、吊下げ孔８２の上縁部および補強用フック孔８３が容易に破損してしまう欠点があった。
【先行技術文献】
【特許文献】
【０００７】
【特許文献１】特開２００５−０５３５７９号公報
【特許文献２】特開２００７−００８５４０号公報
【発明の概要】
【発明が解決しようとする課題】
【０００８】
本発明は、従来技術の欠点を解消し、吊下げフックに吊り下げた陳列と、台上に積み重ねた陳列の両方が可能な商品包装容器において、吊下げフックによる商品包装容器の破損を防止する構成を得ることを課題とする。
【課題を解決するための手段】
【０００９】
上述の課題を解決するため、この発明は、内部に商品の収納空間が形成される商品包装容器が、対向する平面で形成された天板および底板と、周囲部分と、を有し、前記周囲部分の上端位置の前側と後側に吊下げフック通過孔が形成されることを特徴とする。
【００１０】
更に、前記商品包装容器の周囲部分の前側に形成された吊下げフック通過孔が少なくとも前記天板の前側端部位置まで延在して形成されることを特徴とする。
【００１１】
更に、前記商品包装容器内には前記吊下げフックの上部と線状に当接する下面を有する補強部材が配置され、前記補強部材の上面が前記天板の下面と当接するように配置するとよい。
【００１２】
更に、前記商品包装容器の内部の前記収納空間よりも上部に吊下げフック通過空間が形成され、前記商品包装容器の内部には、前記収納空間と、前記吊下げフック通過空間と、を分離する仕切り部材が配置され、前記仕切り部材と前記補強部材が１枚の板状の補助部品の折り曲げによって形成するとよい。
【００１３】
更に、前記板状の補助部品は、前記仕切り部材と前記補強部材を接続する少なくとも1つの接続部材を有し、前記接続部材に吊下げフック通過孔を形成するとよい。
【００１４】
更に、少なくとも1つの前記接続部材が、前記仕切り部材と前記補強部材を前側位置で接続し、前記前側位置の接続部材に形成された吊下げフック通過孔が少なくとも前記補強部材の前側端部位置まで延在して形成されるとよい。
【００１５】
更に、前記商品包装容器の上端の左右の位置に夫々フラップ部が形成され、前記左右のフラップ部の上面が前記補強部材の下面と当接することによって、前記補教部材が前記商品包装容器内に保持されるように構成されるとよい。
【発明の効果】
【００１６】
この発明は前記のように構成されているため、吊下げフックに吊り下げた陳列と、台上に積み重ねた陳列の両方の陳列が可能であり、更に吊下げフックによる商品包装容器の破損を防止することができる効果を有する。
【００１７】
また、前記吊下げフック通過孔が少なくとも天板の端部位置まで延在して形成されるため、従来の商品包装容器よりも、上下方向の寸法を小さくすることができる効果を有する。
【図面の簡単な説明】
【００１８】
【図１】本発明の第１実施例の商品用包装容器の斜視図である。
【図２】本発明の第１実施例の商品用包装容器の展開図である。
【図３】本発明の第１実施例の補助部品の斜視図である。
【図４】本発明の第１実施例の補助部品の展開図である。
【図５】本発明の第１実施例の商品用包装容器の組立方法を示す斜視図である。
【図６】本発明の第１実施例の商品用包装容器の組立方法を示す斜視図である。
【図７】本発明の第１実施例の展示例を示す斜視図である。
【図８】本発明の第１実施例の展示時状態の構成が分かる斜視図である。
【図９】本発明の第１実施例の変形例を示す補助部品の斜視図である。
【図１０】本発明の第２実施例の補助部品の斜視図である。
【図１１】本発明の変形例を示す斜視図である。
【図１２】本発明の変形例を示す斜視図である。
【図１３】本発明の変形例を示す斜視図である。
【図１４】従来技術を示す斜視図である。
【図１５】従来技術を示す斜視図である。
【発明を実施するための形態】
【実施例１】
【００１９】
以下、図面を参照して本発明の第１実施例を説明する。
【００２０】
本発明の第１実施例における商品包装容器１０は、図１から図８に示すように、内部に商品の収納空間３１（図８）が形成される商品包装容器１０が、対向する平面で形成された天板１１および底板１２と、前側面１３、後側面１４、左側面１５、右側面１６からなる周囲部分と、を有し、前記前側面１３の上端位置と、前記後側面１４の上端位置には吊下げフック通過孔４２が形成される。尚、前記上端位置とは天面の内側面と実質的に一致する上下位置を含み、前記実質的に一致とは商品包装容器１０の撓み変形によって吸収可能な範囲の位置を含む。
【００２１】
前記前側面１３の上端位置に形成された吊下げフック通過孔４２が前記天板１１の前側端部位置まで延在して形成される。
【００２２】
更に、前記商品包装容器内１０には前記吊下げフック２０の上部と線状に当接する下面を有する補強部材２４が配置され、更に前記補強部材２４の上面が前記天板１１の下面と当接するように配置される。
【００２３】
更に、前記商品包装容器１０の内部の前記収納空間３１よりも上部に吊下げフック通過空間３２（図８）が形成され、前記商品包装容器１０の内部には、前記収納空間３１と、前記吊下げフック通過空間３２と、を分離する仕切り部材２５が配置され、前記仕切り部材２５と前記補強部材２４が１枚の板状の補助部品３０の折り曲げによって形成される。
【００２４】
更に、前記板状の補助部品３０は、前端位置と後端位置において夫々前記仕切り部材２５と前記補強部材２４を接続する１対の接続部材２６を有し、前記１対の接続部材２６には夫々補強用フック孔２３が形成される。
【００２５】
前記前側位置の接続部２６に形成された補強用フック孔２３は前記補強部材２４の前側端部位置まで延在して形成される。
【００２６】
前記商品包装容器１０の上端の左右の位置に夫々フラップ部１７が形成され、前記左右のフラップ部１７の上面が前記補強部材２４の下面と当接することによって、前記補助部品３０が前記商品包装容器内１０に保持される。
【００２７】
第１実施例では、前記商品包装容器１０は板紙で形成され、前記補助部品３０はダンボールで形成した場合を図示しているが、前記商品包装容器１０および前記補助部品３０の材質は、既存の材料を自由に選択することができ、更に板紙やダンボールに限定されず、プラスチックシート等、他の材料を使用しても良い。更に、前記商品包装容器１０を透明な材料で構成しても良く、前記商品包装容器１０の一部に開口部を設けて、透明シートを貼付けることで前記商品包装容器１０の内部に収納した製品を見えるように構成しても良い。
【００２８】
尚、吊下げフック２０は、一般的には吊り下げた商品の自然落下を防ぐために、先端部が上方に傾斜して形成されている。本実施例では図７、図８に表す様に、前記商品包装容器１０の前側面１３の上端位置に形成された吊下げフック通過孔４２が前記天板１１の前側端部位置まで延在して形成されると共に、補強部材２４の前側位置の接続部２６に形成された補強用フック孔２３が前記補強部材２４の前側端部位置まで延在して形成されるため、吊下げフック２０の長さよりも吊下げフックに吊り下げた製品の前後方向の合計距離の方が長い場合でも、陳列時に前記商品包装容器１０が傾くことを防止すると共に、補強部材２４の下面を吊下げフック２０の上部と線状に当接させることができるため前記補助部品３０や商品包装容器１０の破損を防ぐことができる。
【００２９】
尚、本実施例において前記商品包装容器１０および補助部品３０に形成した吊下げフック通過孔４２は、必ずしも天板１１や補強部材２４の位置まで延在して形成しなくても良い。（図示なし。）また、前記商品包装容器１０の後側面１４の上端位置に形成された吊下げフック通過孔４２を前記天板１１の後側端部位置まで延在して形成すると共に、補助部品３０の後側位置の接続部材２６に形成された吊下げフック通過孔４２を前記補強部材２４の後側端部位置まで延在して形成しても良い。
【００３０】
また、第１実施例において説明した補助部品３０は、収納する商品の特徴に応じて、適切に変更することができ、例えば、第１実施例と同様の補強部材２４と仕切り部材２５を有する補助部品３０Ａが、図９に示すように、少なくとも前端位置において前記仕切り部材２５と前記補強部材２４を接続する接続部材２６を有し、前記接続部材２６には補強用フック孔２３が形成され、前記前端位置の接続部材２６に形成された補強用フック孔２３が前記補強部材２４の前側端部位置まで延在して形成されると共に、前記仕切り部材２５は後側位置で下方に延在する背部２７が形成されると共に、背部２７の下端部が前方に延在し底部２８を形成することによって、前記商品包装容器内での前記補助部品３０Ａの位置ずれを防止すると共に、前記商品包装容器内に収納する商品本体の荷重を補助部品３０Ａが受けるようにしてもよい。尚、図９では補強部材２４の後端位置から下方に向かって延在する折曲部（接続部２６）が形成され、前記折曲部の上端位置には補強用フック孔２３が形成される。
【実施例２】
【００３１】
以下、本発明の第２実施例を説明する。
【００３２】
本発明の第２実施例における商品包装容器１０は、第１実施例の補助部品３０が図１０に示すように、仕切り部材２５の前後側から上方に折曲部（第１実施例の接続部材）を成す補助部品３０Ｂとその他の構成は第１実施例同様、内部に商品の収納空間が形成される商品包装容器１０が、対向する平面で形成された天板１１および底板１２と、前側面１３、後側面１４、左側面１５、右側面１６からなる周囲部分と、を有し、前記前側面１３の上端位置と、前記後側面１４の上端位置には吊下げフック通過孔４２が形成される。
【００３３】
前記前側面１３の上端位置に形成された吊下げフック通過孔４２が前記天板１１の前側端部位置まで延在して形成される。
【００３４】
第１実施例では、前記商品包装容器１０は板紙で形成された場合を図示しているが、前記商品包装容器１０の材質は、既存の材料、種類を自由に選択することができ、更にプラスチックシート等、他の材料を使用しても良い。更に、前記商品包装容器１０を透明な材料で構成しても良く、前記商品包装容器１０の一部に開口部を設けて、透明シートを貼付けることで前記商品包装容器１０の内部に収納した製品を見えるように構成しても良い。
【００３５】
尚、吊下げフック２０は、一般的には吊り下げた商品の自然落下を防ぐために、先端部が上方に傾斜して形成されているため、本発明の第１実施例と同様に、前記商品包装容器１０の前側面１３の上端位置に形成された吊下げフック通過孔４２が前記天板１１の前側端部位置まで延在して形成することによって、吊下げフック２０の長さよりも吊下げフック２０に吊り下げた製品の前後方向の合計距離の方が長い場合でも、陳列時に前記商品包装容器１０が傾くことを防止すると共に、上記天板１１の下面を吊下げフック２０の上部と線状に当接させることができるため前記商品包装容器１０の破損を防ぐことができる。
【００３６】
尚、本実施例において前記商品包装容器１０に形成した吊下げフック通過孔４２は、必ずしも天板１１や補強部品３０Ｂの位置まで延在して形成しなくても良く、また、前記商品包装容器１０の後側面１４の上端位置に形成された吊下げフック通過孔４２を前記天板１１の後側端部位置まで延在して形成しても良い。
【００３７】
尚、本発明において、上記商品包装容器１０の天板１１および底板１２形状は図１１から図１３に示すように、四角形に限定されず、三角形以上の多角形で構成されれば良く、また円形状や曲線と直線の組み合わせから構成しても良い。
【符号の説明】
【００３８】
１０：商品用包装容器、１１：天板、１２：底板、１３：前側面、１４：後側面、１５：左側面、１６：右側面、１７：フラップ部、２０：吊下げフック、２３：補強用フック孔、２４：補強部材、２５：仕切り部材、２６：接続部材、２７：背部、２８：底部、３０：補助部品、３１：収納空間、３２：吊下げフック通過空間、４２：吊下げフック通過孔、６０：商品用包装容器、７１：吊下片、７２：吊下げ孔、８０：商品用包装容器、８３：補強用フック孔、８４：補強部材、８５：仕切り部材、８６：接続部材
【図１】
2020193017.tif 000003
【図２】
2020193017.tif 000004
【図３】
2020193017.tif 000005
【図４】
2020193017.tif 000006
【図５】
2020193017.tif 000007
【図６】
2020193017.tif 000008
【図７】
2020193017.tif 000009
【図８】
2020193017.tif 000010
【図９】
2020193017.tif 000011
【図１０】
2020193017.tif 000012
【図１１】
2020193017.tif 000013
【図１２】
2020193017.tif 000014
【図１３】
2020193017.tif 000015
【図１４】
2020193017.tif 000016
【図１５】
2020193017.tif 000017